(57)【要約】【課題】  組立性が改善されながらも配光が比較的に安定する照明器具を提供する。【解決手段】  光源を保持する本体部１１と埋込穴の周囲において天井材の下面に当接する鍔部１２とを有する下側ブロック１と、下側ブロック１の上側に結合する上側ブロック２と、鍔部１２との間に天井材を挟む取付ばね３とを備える。下側ブロック１は、鍔部１２の上方に突設された結合片１４を本体部１１の両側に有する。上側ブロック２は、結合片１４が並ぶ方向の内側から１個ずつの結合片１４に対向する２個の結合部２２と、各結合部２２に２個ずつ突設されて結合片１４を挟んで互いに対向する突出部２３と、各突出部２３にそれぞれ突設され取付ばね３を挟んで結合部２２に対向する挟み部２５とを有する。各結合部２２と各取付ばね３とはそれぞれ凹凸係合により結合片１４に結合する。【選択図】図１
2014203550.tif 000002
【特許請求の範囲】
【請求項１】
天井材に設けられた埋込穴に埋込配設される照明器具であって、
電気的な光源を保持する本体部と前記本体部の下端部を囲む環形状であって前記埋込穴の周囲において前記天井材の下面に当接する鍔部とを有する下側ブロックと、
前記光源を点灯させる点灯回路を保持し前記下側ブロックの上側に結合する上側ブロックと、
前記下側ブロックに結合する連結部と前記鍔部との間に前記天井材を挟む支持部とを有する複数個の取付ばねとを備え、
前記下側ブロックは、前記鍔部の上方に突設され扁平な形状であって厚さ方向の一面を前記本体部に向けた結合片を複数個有し、
前記上側ブロックは、１個ずつの前記結合片の一面であって前記本体部に向けられた一面に対向する複数個の結合部と、各結合部に２個ずつ突設されて前記結合片を挟んで互いに対向する突出部と、各突出部にそれぞれ突設され前記取付ばねの前記連結部を挟んで前記結合部に対向する挟み部とを有し、
各結合片にはそれぞれ厚さ方向に貫通した貫通穴である係合穴が設けられ、
各結合部はそれぞれ前記係合穴に係入する係合凸部を有して前記係合穴に対する前記係合凸部の係入により前記結合片に結合し、
各取付ばねの前記連結部はそれぞれ前記係合穴に係入する係合片を有して前記係合穴に対する前記係合片の係入により前記結合片に結合することを特徴とする照明器具。
【請求項２】
前記下側ブロックは、軸方向を上下方向に向けた円筒形状であって前記本体部を囲み前記埋込穴に挿通される挿通部を有し、
前記挿通部には、それぞれ上方と前記挿通部の径方向の両側とに開放されて前記突出部が挿通される複数個のスリットを備え、
各結合片は、それぞれ前記挿通部の一部であって、前記スリットに挟まれることで前記挿通部の他の部位から分離されていることを特徴とする請求項１記載の照明器具。
【請求項３】
前記上側ブロックにおいて、前記点灯回路を保持した本体部と、各結合部とは、互いに共通の部品に設けられていることを特徴とする請求項１又は請求項２記載の照明器具。
【請求項４】
前記取付ばねは、前記突出部に上方から当接することにより前記下側ブロックの上方への前記上側ブロックの分離を抑える抜け止め部を有することを特徴とする請求項１〜請求項３のいずれか１項に記載の照明器具。
【発明の詳細な説明】
【技術分野】
【０００１】
本発明は、照明器具に関するものである。
【背景技術】
【０００２】
従来から、天井材に設けられた埋込穴に埋込配設される照明器具が提供されている（例えば、特許文献１参照）。天井材は、造営材（例えばコンクリート）との間に、電線が引き回される空間（いわゆる配線スペース）を形成する板材である。
【０００３】
この種の照明器具は、光源を保持した器具本体と、板ばねからなり器具本体に取り付けられた取付ばねとを備える。
【０００４】
器具本体は、埋込穴に挿通される本体部と、本体部の下端から全周にわたって外向きに突設され下方から見て埋込穴の内周面と本体部の外周面との間の隙間を覆う鍔部とを有する。
【０００５】
また、取付ばねは、器具本体の外周面に対して固定される連結部と、一端を固定部の下端に連結され他端と器具本体との間の距離を変化させるように弾性変形可能な支持部とを有する。すなわち、支持部を器具本体に近づけるように弾性変形させた状態で、器具本体の本体部と取付ばねとを埋込穴内に導入し、支持部を弾性復帰させると、天井材が取付ばねの支持部と器具本体の鍔部との間に挟まれることで、器具本体が天井材に対して固定される。
【０００６】
さらに、器具本体が、上記の鍔部を有する下側ブロックと、下側ブロックの上側に結合する上側ブロックとで構成されたものもある（例えば、特許文献２参照）。
【先行技術文献】
【特許文献】
【０００７】
【特許文献１】特開平９−１３４６１１号公報
【特許文献２】特開２００５−２７６７０３号公報
【発明の概要】
【発明が解決しようとする課題】
【０００８】
上記の照明器具において、上側ブロックを下側ブロックに結合させるためにビス止めやカシメを用いた場合、組立性が比較的に低くなる。
【０００９】
一方、凹凸係合により上側ブロックを下側ブロックに結合させる場合、組立性は改善される。しかしながら、ビス止めやカシメであれば締め付けを強固にすることで下側ブロックに対する上側ブロックのがたつきを抑えることが容易であるのに対し、凹凸係合では上記のがたつきを抑えることが比較的に困難である。そして、光源が上側ブロックに固定されていた場合、上記のがたつきが配光に影響を与えやすい。
【００１０】
本発明は、上記事由に鑑みて為されたものであり、その目的は、組立性が改善されながらも配光が比較的に安定する照明器具を提供することにある。
【課題を解決するための手段】
【００１１】
本発明の照明器具は、天井材に設けられた埋込穴に埋込配設される照明器具であって、電気的な光源を保持する本体部と前記本体部の下端部を囲む環形状であって前記埋込穴の周囲において前記天井材の下面に当接する鍔部とを有する下側ブロックと、前記光源を点灯させる点灯回路を保持し前記下側ブロックの上側に結合する上側ブロックと、前記下側ブロックに結合する連結部と前記鍔部との間に前記天井材を挟む支持部とを有する複数個の取付ばねとを備え、前記下側ブロックは、前記鍔部の上方に突設され扁平な形状であって厚さ方向の一面を前記本体部に向けた結合片を複数個有し、前記上側ブロックは、１個ずつの前記結合片の一面であって前記本体部に向けられた一面に対向する複数個の結合部と、各結合部に２個ずつ突設されて前記結合片を挟んで互いに対向する突出部と、各突出部にそれぞれ突設され前記取付ばねの前記連結部を挟んで前記結合部に対向する挟み部とを有し、各結合片にはそれぞれ厚さ方向に貫通した貫通穴である係合穴が設けられ、各結合部はそれぞれ前記係合穴に係入する係合凸部を有して前記係合穴に対する前記係合凸部の係入により前記結合片に結合し、各取付ばねの前記連結部はそれぞれ前記係合穴に係入する係合片を有して前記係合穴に対する前記係合片の係入により前記結合片に結合することを特徴とする。
【００１２】
上記の照明器具において、前記下側ブロックは、軸方向を上下方向に向けた円筒形状であって前記本体部を囲み前記埋込穴に挿通される挿通部を有し、前記挿通部には、それぞれ上方と前記挿通部の径方向の両側とに開放されて前記突出部が挿通される複数個のスリットを備え、各結合片は、それぞれ前記挿通部の一部であって、前記スリットに挟まれることで前記挿通部の他の部位から分離されていてもよい。
【００１３】
また、上記の照明器具において、前記上側ブロックにおいて、前記点灯回路を保持した本体部と、各結合部とは、互いに共通の部品に設けられていることが望ましい。
【００１４】
さらに、上記の照明器具において、前記取付ばねは、前記突出部に上方から当接することにより前記下側ブロックの上方への前記上側ブロックの分離を抑える抜け止め部を有することが望ましい。
【発明の効果】
【００１５】
本発明の照明器具によれば、取付ばねや上側ブロックを、それぞれ凹凸係合によって下側ブロックに結合させているので、取付ばねや上側ブロックを下側ブロックに固定するためにビス止めやカシメが用られる場合に比べて組立性が改善される。また、天井材に当接する鍔部を有する下側ブロックに光源が保持されているので、光源が上側ブロックに保持される場合と違い、下側ブロックに対する上側ブロックのがたつきが配光に影響を与えないから、配光が比較的に安定する。
【図面の簡単な説明】
【００１６】
【図１】本発明の実施形態を示す分解斜視図である。
【図２】同上を示す一部破断した斜視図である。
【図３】同上の下側ブロックを示す正面図である。
【図４】同上の上側ブロックの要部を示す斜視図である。
【図５】同上の要部を示す断面図である。
【図６】同上の要部を示す一部破断した斜視図である。
【図７】同上の要部を示す正面図である。
【発明を実施するための形態】
【００１７】
以下、本発明を実施するための最良の形態について、図面を参照しながら説明する。
【００１８】
本実施形態は、天井材に設けられた埋込穴（図示せず）に埋込配設される照明器具であって、図１及び図２に示すように、天井材の下側に露出する下側ブロック１と、下側ブロック１の上側に結合して埋込穴内に収納される上側ブロック２とを備える。下側ブロック１と上側ブロック２とはそれぞれ例えば合成樹脂からなる。
【００１９】
下側ブロック１は、光源としての発光ダイオード１０を保持した本体部１１を有する。。本体部１１は下方から見て円形状であって、中央部が上方へ膨出しており、発光ダイオード１０は本体部１１の下面の中央部に固定されている。また、本体部１１の下面は、発光ダイオード１０の光を下方へ配光するように例えば白色とされている。
【００２０】
また、下側ブロック１は、図３に示すように、本体部１１の下端部の全周にわたって径方向の外向きに突設され埋込穴の周囲において天井材の下面に当接する円環形状の鍔部１２を有する。さらに、鍔部１２の上面の内周端部には、軸方向を上下方向に向けた円筒形状であって本体部１１を囲み埋込穴に挿通される挿通部１３が上方へ突設されている。
【００２１】
さらに、下側ブロック１の挿通部１３において、中心軸を挟んで互いに反対側となる２箇所には、それぞれ扁平な形状であって厚さ方向の一面を本体部１１に向けた結合片１４が設けられている。各結合片１４は、それぞれ、径方向の両側と上方とに開放された２個ずつのスリット１３１に挟まれることで、挿通部１３の他の部位から分離され、上端部を下端部に対して径方向（本体部１１との間の距離を変化させる方向）に変位させるように弾性変形可能となっている。
【００２２】
また、上側ブロック２は、プリント配線板４が収納される収納凹部２０が上側に開口した本体部２１を有する。
【００２３】
プリント配線板４には、外部電源（図示せず）から入力された電力（例えば交流電力）を適宜電圧の直流電力に変換して発光ダイオード１０に供給することで発光ダイオード１０を点灯させる点灯回路が実装されている。上記のような点灯回路は周知のＡＣ−ＤＣコンバータを用いて実現可能であるので詳細な図示並びに説明は省略する。また、発光ダイオード１０とプリント配線板４との電気的な接続は、図示しない導電ピンや電線によって達成することができる。
【００２４】
さらに、上側ブロック２には、一端が上記の外部電源に接続された電線（図示せず）の他端が接続される端子台５が取り付けられる。端子台５は、上記の電線に接触導通するとともにプリント配線板４に電気的に接続される端子板（図示せず）と、上記の電線を端子板に接触した状態に保持する保持体（図示せず）とを有する。上記の保持体は例えば鎖錠ばねであって、上記の端子板とともに周知の速結端子を構成する。
【００２５】
また、上側ブロック２には、例えば金属板からなり上方から見て収納凹部２０と端子台５とを覆うカバー６が取り付けられる。カバー６は、厚さ方向を上下方向に向けた長方形状の本体部６１と、本体部６１の短手方向の両端から下方に突設されて上側ブロック２の本体部２１の上端部を挟む結合片６２とを有する。各結合片６２の長手方向の両端部にはそれぞれ内向き（他方の結合片６２に近付く向き）に膨出した結合凸部６３が設けられている。上側ブロック２の本体部２１の上端部において結合凸部６３に対応する４箇所にはそれぞれ結合凹部２１１が設けられており、各結合凸部６３がそれぞれ結合凹部２１１に係入することで、カバー６は上側ブロック２に結合する。
【００２６】
さらに、上側ブロック２は、それぞれ本体部２１の下方に突出して下側ブロック１の挿通部１３内に挿入されて１個ずつの結合片１４に対向する２個の結合部２２を有する。各結合部２２には、それぞれ１個ずつのスリット１３１に挿通されて挿通部１３よりも径方向の外側に突出して結合片１４を挟んで互いに対向する２個ずつの突出部２３が突設されている。
【００２７】
また、各結合片１４にはそれぞれ厚さ方向に貫通する貫通穴である係合穴１４１が上端部に設けられている。図４に示すように各結合部２２にはそれぞれ係合凸部２４が外向きに突設されており、各係合凸部２４がそれぞれ図５及び図６に示すように係合穴１４１に係入することで下側ブロック１と上側ブロック２とは互いに結合する。各係合凸部２４の下端面はそれぞれ下方に向かって結合部２２からの突出寸法を小さくするように傾斜した傾斜面となっている。上側ブロック２を下側ブロック１に取り付ける際には、各係合凸部２４をそれぞれ結合片１４に上方から押し付けると、上記の傾斜面が結合片１４の上端に摺接することで各結合片１４が上端部を径方向の外向きに変位させるように弾性変形する。やがて係合凸部２４が係合穴１４１に至ると、結合片１４が弾性復帰することで係合凸部２４が係合穴１４１に係入する。ここにおいて、係合凸部２４が係合穴１４１の内面に当接することで、下側ブロック１から上方への上側ブロック２の分離が禁止される。
【００２８】
また、各結合片１４には、それぞれ天井材を鍔部１２との間に弾性的に挟持する取付ばね３が取り付けられている。取付ばね３は、厚さ方向を挿通部１３の径方向に向けて下側ブロック１に連結される連結部３１と、連結部３１の下端から連結部３１の厚さ方向であって挿通部１３から離れる向きに突設されて鍔部１２との間に天井材を挟む支持部３２とを有する。連結部３１には、逆Ｕ字形状のスリットで周囲から分離されることで上端部を下端部に対して厚さ方向に変位させるように弾性変形可能な係合片３４が設けられている。係合片３４は上端部が支持部３２とは逆方向に突出するように曲げられており、図５〜図７に示すように係合片３４の上端部が係合穴１４１に係入することで、取付ばね３は下側ブロック１から上方への変位を禁止される。また、挿通部１３の周方向への取付ばね３の変位は、連結部３１が突出部２３に挟まれることで禁止される。さらに、各取付ばね３において、連結部３１の上端部の幅方向（つまり挿通部１３の周方向に向けられる方向）の両側には、それぞれ抜け止め部３５が突設されている。また、上側ブロック２において各突出部２３には、それぞれ取付ばね３の抜け止め部３５を挟んで結合部２２に対向する挟み部２５が突設されている。挿通部１３の径方向外向き（つまり係合片３４が係合穴１４１から抜ける方向）への取付ばね３の変位は、挟み部２５が抜け止め部３５に当接することにより制限される。また、各突出部２３にはそれぞれ突出部２３間の距離を上方に向かって大きくする段２３１が設けられており、取付ばね３の抜け止め部３５が段２３１に上方から当接することによっても、下側ブロック１の上方への上側ブロック２の分離は抑えられている。
【００２９】
下側ブロック１と上側ブロック２とが互いに結合したものに対して取付ばね３を取り付ける際には、係合片３４を支持部３２側へ弾性変形させつつ、各抜け止め部３５をそれぞれ上方から挟み部２５と結合片１４との間に導入する。やがて係合片３４の上端部が係合穴１４１に至ると、係合片３４が弾性復帰して上端部を係合穴１４１に係入させる。ここにおいて、取付ばね３の取付は完了する。
【００３０】
また、各取付ばね３は、それぞれ、支持部３２の先端を連結部３１に対して上方に変位させることで、連結部３１の厚さ方向（挿通部１３の径方向）への支持部３２の突出寸法を小さくするように弾性変形可能となっている。さらに、支持部３２の先端には、支持部３２の厚さ方向であって連結部３１とは逆方向に曲げられた引掛部３３が設けられている。
【００３１】
本実施形態を埋込配設する際には、上記のように各取付ばね３を弾性変形させて挿通部１３からの各取付ばね３の突出寸法を鍔部１２よりも小さくした状態で、挿通部１３と各取付ばね３とを埋込穴内に導入し、各取付ばね３を弾性復帰させる。すると、各取付ばね３の引掛部３３が天井材の上面に引っかかることで、本実施形態の落下が防止される。この状態で、さらに下側ブロック１を上方へ押し上げて鍔部１２を天井材の下面に当接させると、さらに弾性復帰した取付ばね３の支持部３２と鍔部１２との間に天井材が挟まれることで、天井材に対する本実施形態の固定が完了する。天井材に対する固定が完了した状態では、下方から見て、埋込穴の内周面と挿通部１３の外周面との間の隙間は、鍔部１２によって覆われる。
【００３２】
上記構成によれば、取付ばね３や上側ブロック２を、それぞれ凹凸係合（係合穴１４１に対する係合片３４や係合凸部２４の係入）によって下側ブロック１に結合させているので、取付ばね３や上側ブロック２を下側ブロック１に固定するためにビス止めやカシメが用いられる場合に比べて組立性が改善される。
【００３３】
また、天井材に当接する鍔部１２を有する下側ブロック１に光源である発光ダイオード１０が保持されているので、光源が上側ブロック２に保持される場合と違い、下側ブロック１に対する上側ブロック２のがたつきが配光に影響を与えない。従って、配光が比較的に安定する。
【００３４】
さらに、下側ブロック１の上方への上側ブロック２の分離が、上記の凹凸係合だけでなく、突出部２３の段２３１に対する取付ばね３の抜け止め部３５の当接によっても抑えられるので、取付ばね３に抜け止め部３５が設けられない場合に比べ、下側ブロック１に対する上側ブロック２の結合強度の確保が比較的に容易である。
【００３５】
また、本体部２１と各結合部２２とが互いに共通の部品に構成されているので、各結合部２２と本体部２１とがそれぞれ別部品とされる場合に比べ、部品点数の減少により、組立性の向上や製造コストの低減が可能となる。
【００３６】
なお、結合片１４、結合部２２、及び、取付ばね３の個数を３個以上としてもよい。
【符号の説明】
【００３７】
１  下側ブロック
２  上側ブロック
３  取付ばね
１０  発光ダイオード（光源）
１１  本体部
１２  鍔部
１３  挿通部
１４  結合片
２１  本体部
２２  結合部
２３  突出部
２４  係合凸部
２５  挟み部
３１  連結部
３２  支持部
３４  係合片
３５  抜け止め部
１３１  スリット
１４１  係合穴
【図１】
2014203550.tif 000003
【図２】
2014203550.tif 000004
【図３】
2014203550.tif 000005
【図４】
2014203550.tif 000006
【図５】
2014203550.tif 000007
【図６】
2014203550.tif 000008
【図７】
2014203550.tif 000009